(57)【要約】  布地向上組成物であって、少なくとも１つの布地柔軟化活性物質を含み、前記布地柔軟化活性物質が、強度で重み付けした粒径分布を有する複数の粒子を含み、少なくとも約５０％の前記粒子が約１７０ｎｍ未満の粒径を有する、布地向上組成物。
2009544869.tif 000002
【特許請求の範囲】
【請求項１】
布地向上組成物であって、前記布地向上組成物の１重量％〜９０重量％の少なくとも１つの布地柔軟化活性物質を含み、前記布地柔軟化活性物質が複数の粒子を含み、少なくとも５０％あるいは少なくとも８０％の前記粒子が１７０ｎｍ未満の粒径を有する、布地向上組成物。
【請求項２】
前記布地柔軟化活性物質が、少なくとも１つの第四級アンモニウム化合物、少なくとも１つのエステル−第四級アンモニウム化合物、又はこれらの混合物を含む、請求項１に記載の布地向上組成物。
【請求項３】
前記布地柔軟化活性物質が、Ｎ，Ｎ−ジ（アシル−オキシエチル）−Ｎ，Ｎ−ジメチルアンモニウムクロリドを含む、請求項１又は２に記載の布地向上組成物。
【請求項４】
前記布地向上組成物が、アニオン性スカベンジャーを実質的に含まないか、あるいは前記布地向上組成物の０〜１０重量％のアニオン性スカベンジャーを含み、前記組成物が残留洗剤界面活性剤を含むすすぎ浴溶液中に分与される場合に前記すすぎ溶液が可視の泡を実質的に含まない、請求項１〜３のいずれか一項に記載の布地向上組成物。
【請求項５】
前記布地向上組成物が、前記布地向上組成物の０．０１重量％〜１０重量％の泡抑制剤と、前記布地向上組成物が残留洗剤界面活性剤を含むすすぎ浴溶液中に分与される場合に少なくとも９０％の泡低減値と、を更に含む、請求項１〜４のいずれか一項に記載の布地向上組成物。
【請求項６】
布地をすすぐ方法であって、予め水性洗剤液と接触していた布地を、請求項１〜６のいずれか一項に記載の布地向上組成物を含有するすすぎ溶液と接触させる工程を含む、方法。
【請求項７】
マニュアルすすぎプロセス中に消費される水の容量を減らす方法であって、
（ａ）請求項１に記載の布地向上組成物を水槽内に加える工程と、
（ｂ）前記水槽内に前記布地を浸漬させて次に洗剤液と接触させる工程と、
を含む、方法。
【請求項８】
前記布地向上組成物が、泡低減試験の下で少なくとも９０％の泡低減を提供する、請求項１〜７のいずれか一項に記載の方法。
【請求項９】
前記水槽内に前記布地を浸漬させて次に洗剤液と接触させる前記工程が、凝集塊形成試験方法の下で凝集塊形成を実質的に生じない、請求項１〜８のいずれか一項に記載の方法。
【請求項１０】
前記布地をマニュアルですすぐ工程を更に含む、請求項１〜９のいずれか一項に記載の方法。
【発明の詳細な説明】
【背景技術】
【０００１】
十分なアニオン性洗剤キャリーオーバー許容度（anionic detergent carry over tolerance）を有する布地向上組成物（fabric enhancing composition）に対する必要性が報告されてきている。好適なアニオン性洗剤キャリーオーバー許容度に関連して報告される効果には、透明なすすぎ溶液、泡の形成防止、洗剤界面活性剤残留物を含有するすすぎ溶液に添加した際の柔らかな手触りの付与、が挙げられるが、これらに限定されない。例えば、デメエーレ（Demeyere）らによる米国特許公開第２００４／００６０３９０  Ａ１号を参照されたい。界面活性剤スカベンジャーなどの添加剤の使用を介して、良好なアニオン性洗剤キャリーオーバー許容度を可能にする布地向上組成物を提供するために、様々な試みが行われてきている。しかしながら、界面活性剤スカベンジャーなどの添加剤は、高価である可能性があり、並びに、成分を複合する際の工程追加といった、加工及び製造を複雑する恐れがある。このように、界面活性剤スカベンジャーの添加に頼らずに良好なアニオン性洗剤キャリーオーバー許容度を提供する布地向上組成物に対する必要性が依然として存在する。
【０００２】
良好なアニオン性洗剤キャリーオーバー許容効果を提供する別の試みには、尾部が１つ及び尾部が２つのカチオン性布地柔軟仕上げ（fabric softener）活性物質の特定の混合物を使用することが含まれる。例えば、フランケンバック（Frankenbach）らによる米国特許公開第２００６／０２５２６６８  Ａ１号を参照されたい。この試みは報告のように泡の形成防止にいくらか効果を提供するものの、これらの処方の試みは、高価であること、並びに、加工及び製造を複雑にしてしまうことなどの、同様の問題を有する。更に、特定の濃度の、尾部が１つ及び尾部が２つのカチオン性布地柔軟仕上げ活性物質に頼ることは、使用可能な布地柔軟化物質の可能な種類や組合せを制限する。
【先行技術文献】
【特許文献】
【０００３】
【特許文献１】米国特許公開第２００４／００６０３９０  Ａ１号
【特許文献２】米国特許公開第２００６／０２５２６６８  Ａ１号
【発明の概要】
【発明が解決しようとする課題】
【０００４】
界面活性剤スカベンジャーなどの添加剤並びに特定の濃度の、尾部が１つ及び尾部が２つのカチオン性布地柔軟化活性物質の存在を必要とせずに、十分なアニオン性洗剤キャリーオーバー許容度及び泡の形成防止を提供可能な新しい布地向上組成物に対する必要性が依然として存在する。
【課題を解決するための手段】
【０００５】
本発明の１つの態様は、布地向上組成物を提供し、この布地向上組成物は、強度で重み付けした粒径分布を有する複数の粒子を含む少なくとも１つの布地柔軟化活性物質を含み、その粒子の少なくとも約５０％が約１７０ｎｍ以下の粒径を有する。
【０００６】
本発明の別の態様は、予め水性洗剤液と接触していた布地を、本発明による布地向上組成物を含有するすすぎ溶液と接触させる工程を含む、布地をすすぐ方法を提供する。
【０００７】
本発明の別の態様は、マニュアルすすぎプロセス中に消費される水の容量を減らす方法であって、本発明による布地コンディショニング組成物を水槽内に加える工程と、前記水槽内に前記布地を浸漬させて次に洗剤液と接触させる工程と、を含む方法を提供する。
【図面の簡単な説明】
【０００８】
【図１】本発明による複数のナノサイズの層状小胞を含むナノサイズの粒子の低温電子顕微鏡（Cyro-TEM）写真。
【図２】非ナノサイズの直径を有する多層状小胞を示す従来の布地向上組成物の低温電子顕微鏡（Cyro-TEM）写真。
【発明を実施するための形態】
【０００９】
定義
本明細書で用いるとき、用語「洗濯残留物」とは、洗濯プロセスの洗浄サイクル中に布地上又は洗浄液中のどちらかに存在し得るあらゆる物質を意味し、すすぎ浴溶液中に洗濯された布地によってキャリーオーバーされる、あらゆる物質を意味する。従って、「洗濯残留物」には、残留汚れ、粒子状物質、洗剤界面活性剤、洗剤ビルダー、漂白剤、金属イオン、脂質、酵素、及び洗浄サイクル溶液中に存在し得た他のあらゆる物質が挙げられるが、これらに限定されない。
【００１０】
本明細書で用いるとき、「すすぎ浴溶液」は布地の洗浄に続いて行われるこれらのすすぎに使用される溶液である。すすぎ浴溶液は自動若しくは非自動洗濯機の中で用いられてもよく、又は手洗いの場合には洗面器若しくはバケツなどの簡便な容器の中で使用されてもよい。すすぎ浴溶液は初めは水であり、その後、洗濯された布地並びにそれに伴う洗濯残留物及び／又はすすぎ添加（rinse-added）布地トリートメント組成物が導入される。
【００１１】
以下の「発明を実施するための形態」及び「特許請求の範囲」で用いられるとき、「可視の沈殿」又は「泡」は、一般的に性質上不透明である凝集物質を指す。必ずしも固体又は緻密とは限らないが、このような泡は肉眼により確認できるほど十分大きく、典型的には、これらの最短軸に沿って測定すると約０．４ｍｍ以上である。
【００１２】
Ｉ．布地向上組成物
複数の粒子を含む少なくとも１つの布地柔軟化剤を含む布地向上組成物であって、前記粒子の少なくとも約５０重量％が約１７０ｎｍ未満の粒径を有する（以下では「ナノサイズの粒子」）布地向上組成物が、界面活性剤スカベンジャー並びに尾部が１つ及び尾部が２つのカチオン性布地柔軟仕上げ活性物質の特定の混合物を含むがこれに限定されない添加剤を加えずに、良好なアニオン性洗剤キャリーオーバー許容度を提供することが驚くべきことに発見された。１つの実施形態では、前記ナノサイズの粒子は複数の層状小胞を含む。理論に束縛されるものではないが、ナノサイズの粒子は、ここに定義されるように、自動及びマニュアル手洗いシステムのすすぎ溶液中に存在する、少なくとも一部の任意の洗剤界面活性剤組成物及び／又は洗濯残留物を捕捉するのに十分なカチオン性電荷の曝露を提供すると考えられている。
【００１３】
Ａ．ナノサイズの粒子
本発明は、約１０ｎｍ〜約１７０ｎｍ、あるいは約１５０ｎｍ未満、あるいは約１２０ｎｍ未満、あるいは約８０ｎｍ未満の平均粒径を有する複数の粒子を含む、少なくとも１つの布地柔軟化活性物質を含む。１つの実施形態では、複数の粒子は強度で重み付けした粒径分布を有し、複数のこの粒子の少なくとも約５０％、あるいは少なくとも８０％、あるいは少なくとも９０％、あるい９９％まで、あるいは約９９．９％までが、約１７０ｎｍ未満、あるいは約１５０ｎｍ未満、あるいは約１２０ｎｍ未満、あるいは約８０ｎｍ未満の粒径を有する。ここで定義されるように、平均粒径及び強度で重み付けした粒径分布は、本明細書で定義される動的光散乱法により測定される。別の実施形態では、複数の粒子は層状小胞、ディスク、小板、層状シート、及びこれらの組合せを含む。
【００１４】
図１は、本発明による複数のナノサイズの粒子（１０）の低温電子顕微鏡（Cyro-TEM）写真を提供する。図２は、例えば直径約２００ｎｍ超の、非ナノサイズの直径を有し、多層状である複数の層状小胞（４０）を示す従来の布地向上組成物の低温電子顕微鏡（Cyro-TEM）写真を提供する。
【００１５】
１．動的光散乱法
動的光散乱法は、光散乱データ技術により粒径を測定するのに使用できる。本明細書で用いるとき、粒径はマルバーン・ゼータサイザー・ナノ（Malvern Zetasizer Nano）ＺＳのモデルＺＥＮ  ３６００によって測定される。製造者：マルバーン・インスツルメント社（Malvern Instruments Ltd）、英国ＷＲ１４  １ＸＺ、ウスターシャー州マルバーン、グローヴウッドロード、エニグマビジネスパーク（Enigma Business Park, Grovewood Road, Malvern, Worcestershire WR141XZ, United Kingdom）。
【００１６】
機器の管理用及びデータ取得用に使用されるソフトウェアは、マルバーン・インスツルメント社（Malvern Instruments Ltd）著作権所有のディスパ−ション・テクノロジー・ソフトウェア・バージョン４．２０である。
【００１７】
結果は、強度で粒径に対して重み付けした分布として表示される。この分布から、％に基づいた粒径分布及び平均粒径が決定できる。
【００１８】
試料は、測定される分散剤中に約１％〜約３％の布地柔軟化活性物質濃度が得られるように、試料の連続相として同様な組成物を有する分散剤、例えば分散連続相中と同量の水、溶媒及び酸、で希釈される。試料は一定の試料容量、例えば５ｍＬで、採取される。試料は使い捨てキュベット（マルバーン（Malvern）社からのＤＴＳ００１２）中に定置され、測定は２５℃において試料平衡時間２分で行われる。
【００１９】
上記で規定されたソフトウェアの測定設定は、２０稼動／測定及び稼動持続時間１０秒で「マニュアル測定（manual measurement）」である。測定数は２回で、測定間に遅延がないようにする。上記ソフトウェアによる結果の計算は、ソフトウェアにより提供されるように汎用モデルを使用する。結果はソフト及びハードウェアにより内部設定される品質基準に見合う必要がある。
【００２０】
Ｂ．布地柔軟化活性物質
本発明の布地向上組成物は布地柔軟化活性物質（ＦＳＡ）又は１つ以上のＦＳＡの混合物を含む。１つの実施形態では、布地向上組成物は少なくとも前記組成物の約１重量％、あるいは少なくとも約２重量％、あるいは少なくとも約３重量％、あるいは少なくとも約５重量％、あるいは少なくとも約１０重量％、あるいは少なくとも約１２重量％であって、約９０重量％未満、あるいは４０重量％未満、あるいは約３０重量％未満、あるいは約２０重量％未満、あるいは約１８重量％未満、あるいは約１５重量％未満、である前記ＦＳＡを含む。１つの実施形態ではＦＳＡはカチオン性である。
【００２１】
１つの好適なＦＳＡは次式の化合物を含む：
｛Ｒ４−ｍ−Ｎ＋−［（ＣＨ２）ｎ−Ｙ−Ｒ１］ｍ｝Ｘ−            （１）
式中、各Ｒ置換基は水素、短鎖Ｃ１〜Ｃ６、好適なＣ１〜Ｃ３アルキル又はヒドロキシアルキル基（例えば、メチル、エチル、プロピル、ヒドロキシエチルなど）、ポリ（Ｃ２〜３アルコキシ）、好適なポリエトキシ、ベンジル、又はこれらの混合物のいずれかであり；各ｍは２又は３であり；各ｎは１〜約４で好適には２であり；各Ｙは、−Ｏ−（Ｏ）Ｃ−、−Ｃ（Ｏ）−Ｏ−、−ＮＲ−Ｃ（Ｏ）−、又は−Ｃ（Ｏ）−ＮＲ−であり；各Ｒ１中の炭素の合計数は（ただし、Ｙが−Ｏ−（Ｏ）Ｃ−又は−ＮＲ−Ｃ（Ｏ）−のときは＋１）Ｃ１２〜Ｃ２２であり、好適にはＣ１４〜Ｃ２０であり、各Ｒ１はヒドロカルビル、又は置換ヒドロカルビル基であり、Ｘ−は塩化物、臭化物、硫酸メチル、硫酸エチル、硫酸塩及び硝酸塩などの柔軟仕上げ剤適合性アニオンである。
【００２２】
第二の好適なＦＳＡは次の一般式を有する：
［Ｒ３Ｎ＋ＣＨ２ＣＨ（ＹＲ１）（ＣＨ２ＹＲ１）］Ｘ−
式中、Ｙ、Ｒ、Ｒ１及びＸ−はそれぞれ、上記と同じ意味を有する。このような化合物には、次式を有するものが挙げられる：
［ＣＨ３］３Ｎ（＋）［ＣＨ２ＣＨ（ＣＨ２Ｏ（Ｏ）ＣＲ１）Ｏ（Ｏ）ＣＲ１］Ｃ１（−）（２）
式中、各Ｒはメチル又はエチル基であり、好適には各Ｒ１はＣ１５〜Ｃ１９の範囲内にある。本明細書で使用するとき、ジエステルが明記される場合、それは存在するモノエステルを包含することができる。
【００２３】
これらの種類の試剤及びその一般的製造法は、米国特許第４，１３７，１８０号（ナイク（Naik）ら、１９７９年１月３０日発行）に開示されている。ＤＥＱＡ（２）の例は、式１，２−ジ（アシルオキシ）−３−トリメチルアンモニオプロパンクロリドを有する「プロピル」エステル四級アンモニウム布地柔軟仕上げ剤活性物質である。
【００２４】
第三の好適なＦＳＡは次式を有する：
［Ｒ４−ｍ−Ｎ＋−Ｒ１ｍ］Ｘ−            （３）
式中、Ｒ、Ｒ１及びＸ−はそれぞれ、上記と同じ意味を有する。
【００２５】
第四の好適なＦＳＡは次式を有する：
【化１】
2009544869.tif 000003
式中、Ｒ、Ｒ１、及びＡ−の各々は上記に与えられた定義を有し、各Ｒ２はＣ１〜６アルキレン基、好適にはエチレン基であり、Ｇは酸素原子又は−ＮＲ−基である。
【００２６】
第五の好適なＦＳＡは次式を有する：
【化２】
2009544869.tif 000004
式中、Ｒ１、Ｒ２及びＧは上記のように定義される。
【００２７】
第六の好適なＦＳＡは、脂肪酸とジアルキレントリアミンとの、例えばモル比約２：１での、縮合反応生成物を含み、この反応生成物は、次式の化合物を含有する：
Ｒ１−Ｃ（Ｏ）−ＮＨ−Ｒ２−ＮＨ−Ｒ３−ＮＨ−Ｃ（Ｏ）−Ｒ１            （６）
式中、Ｒ１、Ｒ２は上記のように定義され、各Ｒ３はＣ１〜６アルキレン基であり、好適にはエチレン基であり、反応生成物は所望により硫酸ジメチルなどのアルキル化剤の添加によって四級化されてもよい。このような四級化反応生成物は米国特許第５，２９６，６２２号（アップヒューズ（Uphues）ら、１９９４年３月２２日発行）に更に詳細に記載されている。
【００２８】
第七の好適なＦＳＡは次式を有する：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−  （７）
式中、Ｒ、Ｒ１、Ｒ２、Ｒ３及びＡ−は上記のように定義される。
【００２９】
第八の好適なＦＳＡは脂肪酸とヒドロキシアルキルアルキレンジアミンとのモル比約２：１での反応生成物を含み、この反応生成物は次式の化合物を含有する：
Ｒ１−Ｃ（Ｏ）−ＮＨ−Ｒ２−Ｎ（Ｒ３ＯＨ）−Ｃ（Ｏ）−Ｒ１            （８）
式中、Ｒ１、Ｒ２及びＲ３は、上記のように定義される。
【００３０】
第九の好適な種類のＦＳＡは、次式を有する：
【化３】
2009544869.tif 000005
式中、Ｒ、Ｒ１、Ｒ２、及びＡ−は、上記のように定義される。
【００３１】
化合物（１）の非限定的な例は、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎジメチルアンモニウムクロリド、Ｎ，Ｎ−ビス（ステアロイル−オキシ−エチル）Ｎ−（２ヒドロキシエチル）Ｎ−メチルアンモニウムメチルスルファートである。
【００３２】
化合物（２）に非限定的な例は、１，２ジ（ステアロイル−オキシ）３トリメチルアンモニウムプロパンクロリドである。
【００３３】
化合物（３）の非限定的な例は、ジキャノーラジメチルアンモニウムクロリド、ジ（ハード）タロージメチルアンモニウムクロリド、ジキャノーラジメチルアンモニウムメチルスルファートなどの、ジアルキレンジメチルアンモニウム塩である。本発明で使用可能な市販のジアルキレンジメチルアンモニウム塩は、ウィトコ社（Witco Corporation）から商標名アドゲン（Adogen）（登録商標）４７２として入手可能なジオレイルジメチルアンモニウムクロリド、及び、アクゾ・ノーベル・アルクアッド（Akzo Nobel Arquad）２ＨＴ７５より入手可能なジハードタロージメチルアンモニウムクロリドである。
【００３４】
化合物（４）の非限定的な例は１−メチル−１−ステアロイルアミドエチル−２−ステアロイルイミダゾリニウムメチルスルファートであり、式中、Ｒ１は非環式脂肪族Ｃ１５〜Ｃ１７炭化水素基であり、Ｒ２はエチレン基であり、ＧはＮＨ基であり、Ｒ５はメチル基であり、Ａ−はメチルスルファートアニオンであり、ウィトコ社（Witco Corporation）より商標名バリソフト（Varisoft）（登録商標）として市販されている。
【００３５】
化合物（５）の非限定的な例は、１−タローイルアミドエチル−２−タローイルイミダゾリンであり、Ｒ１は、非環式脂肪族Ｃ１５〜Ｃ１７炭化水素基であり、Ｒ２はエチレン基であり、ＧはＮＨ基である。
【００３６】
化合物（６）の非限定的な例は、脂肪酸とジエチレントリアミンとのモル比約２：１での反応生成物であり、この反応生成物の混合物は次式のＮ，Ｎ−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、ヘンケル社（Henkel Corporation）から入手可能なエマーソル（Emersol）（登録商標）２２３ＬＬ又はエマーソル（登録商標）７０２１などの、植物又は動物を供給源として得られた市販の脂肪酸のアルキル基であり、Ｒ２及びＲ３は二価のエチレン基である。
【００３７】
化合物（７）の非限定的な例は、次式を有するジ脂肪アミドアミン系柔軟仕上げ剤である：
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）は、ウィトコ社（Witco Corporation）から商標名バリソフト（Varisoft）（登録商標）２２２ＬＴとして市販されているアルキル基である。
【００３８】
化合物（８）の非限定的な例は、脂肪酸とＮ−２−ヒドロキシエチルエチレンジアミンとのモル比約２：１での反応生成物であり、この反応生成物の混合物は次式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、ヘンケル社（Henkel Corporation）から入手可能なエマーソル（Emersol）（登録商標）２２３ＬＬ又はエマーソル（登録商標）７０２１などの、植物又は動物を供給源として得られた市販の脂肪酸のアルキル基である。
【００３９】
化合物（９）の非限定的な例は次式を有するジ四級化合物である：
【化４】
2009544869.tif 000006
式中、Ｒ１は脂肪酸から得られ、化合物はウィトコ社（Witco Company）から入手可能である。
【００４０】
上記で開示されたＦＳＡの上記種類のあらゆる組合せ及び混合物が、本発明での使用に好適であることは理解されるであろう。
【００４１】
アニオンＡ
本明細書のカチオン性窒素系塩において、アニオンＡ−は柔軟仕上げ剤に相溶性のあるいずれかのアニオンであり、電気的に中性である。ほとんどの場合、これらの塩において電気的中性をもたらすために使用されるアニオンは、強酸由来のものであり、特に、塩化物、臭化物、又はヨウ化物のようなハロゲン化物由来のものである。硫酸メチル、硫酸エチル、酢酸塩、ギ酸塩、硫酸塩、炭酸塩などのような、他のアニオンを使用することもできる。塩化物及び硫酸メチルがアニオンＡに好適な候補である。またアニオンは、二価の電荷を有することもでき、その場合、Ａ−は、基の半分を表わす。
【００４２】
Ｃ．アニオン性スカベンジャー
本明細書で用いるとき、アニオン性スカベンジャーは洗剤スカベンジャー及び／又は界面活性剤スカベンジャーを含む。本発明の布地向上組成物は、驚くべきことに、本明細書で定義する泡形成試験（Floc Formation Test）から決定されるように、アニオン性スカベンジャーの添加に頼らずに良好なアニオン性洗剤キャリーオーバー許容度を提供可能であることが観察されている。理論に束縛されるものではないが、洗剤キャリーオーバー許容度は本発明の粒子の、粒径分布及び／又は平均粒径に部分的によるものと考えられる。粒子及び／又は層状小胞の寸法は十分な量のカチオン性電荷を曝露して、自動及びマニュアル手洗いシステムのすすぎ溶液中に存在する、少なくとも一部の任意の洗剤界面活性剤及び／又は洗濯残留物を捕捉する。
【００４３】
本発明の１つの実施形態では、布地向上組成物はアニオン性スカベンジャーを含む。１つの実施形態では、布地向上組成物は約０から、あるいは約０．０１％〜約１０％の、あるいは約５％までの、あるいは約１％までの、あるいは約０．１％までの、アニオン性スカベンジャーを含む。別の実施形態では、布地向上組成物はアニオン性スカベンジャーを含まないか又は実質的に含まない。本明細書で使用するとき、「成分を実質的に含まない」とは、いかなる量の成分も組成物中に意図的に加えられないことを意味する。
【００４４】
好適なアニオン性スカベンジャーには、モノアルキル第四級アンモニウム化合物及びこれらのアミン前駆体、ポリビニルアミン、並びにポリ第四級アンモニウム化合物及びこれらのアミン前駆体が挙げられる。例えば、米国特許公開第２００３／００６０３９０号、００７８〜０１２２を参照されたい。本発明は、驚くべきことに、アニオン性スカベンジャーの添加に頼らずに、好適なアニオン性洗剤捕捉キャリーオーバー及び泡の形成防止を提供することが判明している。理論に束縛されるものではないが、ナノサイズの粒子はすすぎ浴溶液中で洗濯残留物と接触したときに、ＦＳＡのカチオン性部分の十分な曝露を提供して、泡の形成を抑制すると考えられる。
【００４５】
Ｄ．泡抑制系
本発明の１つの実施形態では、布地向上組成物は泡抑制系を含む。泡抑制系の好適な濃度は、組成物の約０．０１重量％〜約１０重量％、あるいは約０．０２重量％〜約５重量％、あるいは約０．０５重量％〜約２重量％である。このような泡抑制系は、従来のＣ１１〜Ｃ１８アルキルベンゼンスルホン酸塩（「ＬＡＳ」）などの高発泡性界面活性剤からの洗濯残留物を含むすすぎ浴溶液を使用する際に、本発明の組成物で使用するのに好適である。
【００４６】
好適な泡抑制系には、シリコーン消泡化合物、２−アルキルアルカノール消泡化合物のようなアルコール消泡化合物、脂肪酸、パラフィン消泡化合物、及びこれらの混合物を含む、あらゆる消泡化合物が挙げられる。好適な泡抑制系の非限定的な例は米国特許公開第２００３／００６０３９０  Ａ１号、及び「カーク・オスマー工業化学百科事典（Kirk Othmer Encyclopedia of Chemical Technology）」第三版、第７巻、４３０〜４４７ページ（ジョン・ワイリー＆サンズ社（John Wiley & Sons, Inc.）１９７９年）に提供されている。
【００４７】
好適な組成物は少なくとも約９０％の、あるいは少なくとも約９５％の、あるいは少なくとも約９９％の、泡低減値を有するものである。約９９％の泡低減値とは、溶液の表面を部分的に覆う白い膜又はいくらか散乱した気泡の任意の存在を除き、可視の発泡体がすべて消失する場合を指す。
【００４８】
泡低減試験
泡低減は次のようにして測定される：ドデシルベンゼンスルホン酸のナトリウム塩（工業銘柄、カタログナンバー２８，９９５〜７でアルドリッチ（Aldrich）社により供給される）の約０．０２％溶液（２０℃〜２５℃で硬度０．２１ｇ毎Ｌ（１２米国ｇ／ｇ）ｍｐ水を使用）７５０ｇが１リットル円筒型広口瓶（直径：高さの比がおよそ５：８）に加えられる。この溶液は参照として働く。参照溶液及び泡形成試験（下記参照）から得られる濾液が約１５秒間に亘って強く振盪される。これにより、参照溶液の上に約３ｃｍの泡が生じる。振盪が終わってから１５秒後に、試験溶液上に残っている泡の存在が目視により評価される。高さの％で表示される泡低減値は、１５秒後の試験試料の泡の高さを振盪直後の参照試料の泡の高さ（〜３ｃｍ）と比較することで計算される。
【００４９】
Ｅ．他の要素
１．香料添加物
１つの実施形態では、布地向上組成物は香料添加物を含む。本明細書で使用するとき、「香料添加物」は、水槽中に及び／又はそれと接触した布地上に後で放出されるいずれかの発香性物質を意味する。本明細書の香料添加物は、それらの組成物が比較的単純なものであることもでき、又はすべて任意の所望の香りを提供するように選択される、天然及び合成の化学香料構成成分の高度に洗練された複雑な混合物を含むこともできる。異なる香料組成物の非限定的な例を含む香料添加物についての更なる情報は米国特許公開第２００３／０１０４９６９  Ａ１号（２００３年６月５日発行、キャズウェル（Caswell）ら）、米国特許第５，７１４，１３７号（１９９８年２月３日発行、トリン（Trinh）ら）、及び米国特許第６，０４８，８３０号（２０００年４月１１日発行、ギャロン（Gallon）ら）で入手可能である。
【００５０】
１つの実施形態では、香料添加物は香料マイクロカプセルを含む。香料マイクロカプセルには、次の参照に記載されるものを挙げてもよい：米国特許公開第２００３／２１５４１７  Ａ１号、同第２００３／２１６４８８  Ａ１号、同第２００３／１５８３４４  Ａ１号、同第２００３／１６５６９２  Ａ１号、同第２００４／０７１７４２  Ａ１号、同第２００４／０７１７４６  Ａ１号、同第２００４／０７２７１９  Ａ１号、同第２００４／０７２７２０  Ａ１号、同第２００３／２０３８２９  Ａ１号、同第２００３／１９５１３３  Ａ１号、同第２００４／０８７４７７  Ａ１号、同第２００４／０１０６５３６  Ａ１号；欧州特許第１３９３７０６  Ａ１号；米国特許第６，６４５，４７９号、同第６，２００，９４９号、同第４，８８２，２２０号、同第４，９１７，９２０号、同第４，５１５，４６１号、同第４，２３４，６２７号及び米国再発行特許第３２，７１３号。１つの実施形態では、香料マイクロカプセルは砕けやすい香料マイクロカプセル（例えば、水活性化香料マイクロカプセルに対比して）である。脆砕性は、外部からの直接的圧力又は剪断力を受けた際に、マイクロカプセルが破裂、又は破断して開く傾向を指す。本発明の目的のため、使用されるマイクロカプセルは、前記マイクロカプセルで処理される布地に取り付けられている間に、カプセルを含有する布地が磨耗される又は取扱われることで操作されるときに遭遇する力によって破壊され得る（それによってカプセルの内容物を放出する）場合に、「砕けやすい」。
【００５１】
１つの実施形態では、本発明は約ゼロ％〜約５％の、あるいは約０．１％〜約３．５％の、あるいは０．３％〜２％の、香料添加物を含む。
【００５２】
２．ｐＨ緩衝剤
本発明の１つの実施形態では、布地向上組成物は、布地向上組成物を酸性にする（約６を下回る、あるいは約２〜約５、あるいは２．５〜４のｐＨを有する）のに適切な量のｐＨ緩衝剤を更に含む。ｐＨ緩衝剤の好適な濃度は、布地向上組成物の約ゼロ重量％〜約４重量％、あるいは約０．０１重量％〜約２重量％である。好適なｐＨ緩衝剤は、塩化水素、クエン酸、他の有機又は無機酸、及びこれらの混合物を含む。
【００５３】
３．追加添加物
追加添加物は任意であるが、布地向上組成物によく使用されることは当業者であれば理解するであろう。布地向上組成物は、水、着色剤、香料、ブルーミング香料、香料マイクロカプセル、シクロデキストリン、臭気抑制剤、電解質、防腐剤、蛍光増白剤、乳白剤、構造剤、粘度調節剤、付着助剤、粘土のような固体形状の布地コンディショニング剤、乳化剤、安定剤、縮み防止剤、染み付き防止剤、殺菌剤、殺真菌剤、腐食防止剤、及びこれらの混合物などを含む追加添加物を更に含む。例えば、米国特許第４，１５７，３０７号（イエーガー（Jaeger）ら）、同第５，９４２，２１７号（ウー（Woo）ら）、及び同第６，８７５，７３５号（フランケンバック（Frankenbach）ら）を参照されたい。追加の好適な添加物は既知であり、必要に応じて本処方に含めることができる。例えば、米国特許公開第２００４／０２０４３３７号を参照されたい。１つの実施形態では、布地向上組成物は、前述の添加物のいずれも全く含まないか又は実質的に含まない。
【００５４】
１つの実施形態では、本発明の組成物は、洗浄性界面活性剤を全く含まないか又は実質的に含まない。１つの実施形態では、組成物は布地向上組成物の約５重量％未満の、あるいは約２重量％未満の、あるいは約１重量％未満の、あるいは約０．５重量％未満の、洗浄性界面活性剤を含む。
【００５５】
別の実施形態では、本発明の布地向上組成物は、生体組織、特に皮膚及び毛髪の、症状及び／又は疾患を治療するのに適した生物学的に活性な（化粧品用又は製薬用）試剤を全く含まないか又は実質的に含まない。更に、１つの実施形態では、組成物は、酸素感受性を有する物質（例えば、レチノールなどの試剤）を全く含まない。米国特許公開第２００２／０００１６１３  Ａ１号の４５〜４８段落及び同第２００１／０１２４０３３号の４２〜４３段落は、本発明のこの実施形態に顕著に存在しない「生物学的に活性な」試剤の例を提供している。
【００５６】
ＩＩ．アニオン性洗剤キャリーオーバー許容度
アニオン性洗剤キャリーオーバー許容度及び泡の形成防止は、本明細書で定義される泡形成試験により測定できる。本発明の１つの実施形態は、アニオン性界面活性剤キャリーオーバー条件下の第一すすぎ浴溶液中に泡形成がないこと、又は実質的に泡形成が存在しないことを提供する。好適な凝集塊形成試験方法は米国特許出願公開第２００３／００６０３９０号の段落２２７〜２２８に詳しい。
【００５７】
この試験の下で、残留アニオン性界面活性剤を含有するすすぎ溶液中で泡形成がないこと又は実質的に存在しないことが本発明の特徴である。凝集塊形成試験方法：ドデシルベンゼンスルホン酸のナトリウム塩（工業銘柄、カタログナンバー２８，９９５〜７でアルドリッチ（Aldrich）社により供給される）の約０．０２％溶液（２０℃〜２５℃で硬度０．２１ｇ毎Ｌ（１２米国ｇ／ｇ）ｍｐ水を使用）７５０ｇが１リットル円筒型広口瓶（直径：高さの比がおよそ５：８）に加えられる。広口瓶は密閉され、１５秒間に亘って強く振盪されて、溶液の上に約３ｃｍの泡が生じる。
【００５８】
これに続き、試験される組成物５ｇが、泡立った溶液の表面に注がれる。次に、ビーカー中の溶液は３０秒間に亘って１００ｒｐｍの速度でマニュアルで攪拌される（２０ｃｍ長、０．５ｃｍのプラスチック製スパチュラを使用）。攪拌から１分後に、溶液は、回収皿に取り付けられた米国標準試験ふるい（ＡＳ（商標）Ｅ１１規格第４０号、タイラー（Tyler）３５メッシュ相当品、開口部４２５ミクロン、ふるい直径２０ｃｍ（８インチ））の表面上に、均一に注がれる。この皿の寸法は、いったん７５０グラムの試験溶液全部を加えた後、ふるいのワイヤーが皿の中の液体表面より少なくとも１ｃｍ下にあるような寸法である。続いてふるいはマニュアルで皿から持ち上げられ（水平に保ちつつ）、泡の存在について検査される。試験溶液は、ふるいに残っている可視の泡の総数が５０未満である場合、泡を「実質的に含まない」と定義される。試験溶液は、残っている可視の泡の総数が１０未満である場合、泡を「全く含まない」と定義される。濾液は同じ形の１リットル広口瓶に回収される。
【００５９】
試験溶液は、ふるいに残っている可視の泡の総数が約５０未満である場合、泡を「実質的に含まない」と定義する。試験溶液は、残っている可視の泡の総数が１０未満である場合、泡を「全く含まない」と定義する。本発明の１つの実施形態は、すすぎ浴溶液が第一すすぎ浴溶液中の泡を全く含まないか、又は実質的に含まないように第一すすぎ浴溶液中で布地を柔軟化するために、本発明の布地ケア組成物の使用を提供する。
【００６０】
ＩＩＩ．使用方法
Ａ．すすぎプロセス
本組成物はいわゆるすすぎプロセスに使用でき、このプロセスにおいて組成物は上記に定義したように、最初に水性すすぎ浴溶液中に希釈される。続いて、洗剤液で洗浄済みの洗濯された布地は任意で第一の非効率的なすすぎ工程ですすがれる。ここで定義されるように、「非効率的な工程」とは残留洗剤、洗濯残留物、及び／又は汚れが依然として布地の中に保持されたままであり得ることを意味する。これらの洗濯された布地は希釈された組成物を有するすすぎ溶液中に定置される。もちろん、組成物はまた、いったん布地が水槽中に浸されてから加えられてもよい。この工程に続いて、すすぎ浴溶液中の布地に攪拌が適用され、これにより泡が破砕する。次に布地は任意で絞られ、その後乾燥にかけられる。
【００６１】
従って、洗剤液中で予め洗浄された布地を本発明の組成物と接触させる工程を含む、布地をすすぐ方法が提供される。同様に、本発明は、高起泡性洗剤溶液中で洗浄された布地に布地柔軟性を付与する一方で、望ましくない凝集塊の生成を伴わずに、泡、すなわち発泡の削減をすすぎに提供するために、本発明の組成物の使用を提供する。１つの実施形態では、本プロセスは単独のすすぎ工程を含み、この工程では前述の泡抑制剤は布地向上剤の約０．０重量％〜約５重量％を構成する。本明細書で使用するとき、「単独のすすぎ工程」とは、洗浄工程の後に１回のみのすすぎ工程が乾燥工程の前に行われることを意味する。
【００６２】
このすすぎプロセスは、たらい若しくはバケツの中でマニュアルで行われてもよく、非自動化洗濯機の中で行われてもよく、又は自動洗濯機の中で行われてもよい。手洗いが行われる場合、洗濯された布地を洗剤液から取り出し、絞る。次に本発明の組成物は新しい水に加えられ、その後布地は、直接か、又は任意の非効率的な第一のすすぎ工程の後かに、従来のすすぎ慣習に従って組成物を含有する水の中ですすがれる。次に布地は乾燥され得る。
【００６３】
ＩＶ．製造プロセス
本発明の組成物は、超音波ホモジナイザーによって生成される組成物中に、キャビテーションを伴うプロセスを使用して製造され得る。本明細書で用いるとき、超音波ホモジナイザーは、流体力学キャビテーション反応器を含む。理論に束縛されるものではないが、流体力学又は超音波キャビテーションは組成物内に十分な破砕を生じさせて好適な寸法のナノ粒子を形成する。
【００６４】
本発明の組成物を製造するプロセスは、混合チャンバ内に供給物（供給物は少なくともカチオン性柔軟化化合物と水性キャリアなどの溶媒とを含有する）を提供する工程；次に約１Ｊ／ｍＬ〜約５０Ｊ／ｍＬのエネルギー密度を前記供給物にかけて混合チャンバ内の供給物の中で激しいキャビテーションを引き起こし、これによって布地向上剤を製造する工程と、を含む。次にこのプロセスは布地向上剤を約１ｋｇ／分〜約１０００ｋｇ／分の流量で放出する工程を含む。１つの実施形態では、供給物は開口部を形成する要素を介して前述の混合チャンバ中に供給される。１つの実施形態では、混合チャンバは刃を有する。
【００６５】
供給物を該供給物にかけた約１Ｊ／ｍＬ〜約５０Ｊ／ｍＬのエネルギー密度にさらすプロセス工程は混合チャンバ内を移動する組成物内にキャビテーションを引き起こし、混合チャンバ内の供給物に十分な破砕を生じさせ、ＦＳＡに本発明によるナノサイズの粒子を形成させると考えられている。
【００６６】
別の実施形態では、供給物はｐＨ調整剤、香料、溶媒、及びこれらの混合物を更に含む。更なる実施形態では、供給物は第一の供給物が水からなり、第二の供給物が水以外の成分からなる二段供給を使用して混合チャンバ内に導入される。二段供給システムでは、水は約１０℃〜約９５℃で、あるいは約２０℃〜約８５℃で、導入されることができ、第二の供給物は約５０℃〜約９５℃で、あるいは７０℃〜約９０℃で、導入されることができる。別の実施形態では、供給物は異なる組成物が混合チャンバ内への導入前に組み合わされている単段供給を使用して、混合チャンバ内に導入される。別の実施形態では、供給物が混合チャンバ内に導入される前に予め混合されていない。
【００６７】
別の実施形態では、本発明の布地向上剤を製造するために使用される装置は超音波ホモジナイザーである。理論に束縛されるものではないが、超音波ホモジナイザーは流体力学及び／又は超音波キャビテーションにより粒径の減少を達成すると考えられている。更に、超音波ホモジナイザーは、従来の高せん断ミキサーと比較して、より高い出力密度及びエネルギー密度で操作可能である。例えば、米国特許公開第２００２／０００１６１３  Ａ１号（ネイミーク（Neimiec）ら）及び同２００４／００１４６３２  Ａ１号（ハワード（Howard）ら）、並びに米国特許第５，１７４，９３０号（スタインメッセ（Stainmesse）ら）を参照されたい。好適な超音波ホモジナイザーの１つの非限定的な例は、ソノレーター（Sonolator）（商標）（供給元はコネティカット州のソニック・コーポレーション（Sonic Corporation））である。
【００６８】
Ａ．エネルギー密度
エネルギー密度は、混合チャンバ内の供給物に滞留時間に亘って出力密度をかけることによって生み出される。本発明の１つの実施形態では、前述の混合チャンバ内で前述の供給物にキャビテーションをかける工程が行われるが、これは約１Ｊ／ｍＬ〜約１００Ｊ／ｍＬの、あるいは約１Ｊ／ｍＬ〜約５０Ｊ／ｍＬの、あるいは約５Ｊ／ｍＬ〜約３５Ｊ／ｍＬの、エネルギー密度を有する。エネルギー密度は次式で表すことができる：
Ｅ＝Ｗ×ΔＴ
式中、Ｅはエネルギー密度を表し、Ｗは出力密度を表し、ΔＴは滞留時間を表す。ここで定義されるように、「滞留時間」とは小胞が混合チャンバ内に留まる時間の平均量を意味する。滞留時間は空洞寸法を布地向上剤の流量で除す計算により決定される。
【００６９】
Ｂ．出力密度及び滞留時間
本発明の布地柔軟仕上げ剤組成物は従来の高せん断混合よりも比較的高い出力密度を必要とする。本明細書で使用される超音波混合又は流体力学キャビテーション反応器について、出力密度は次式で決定される：
Ｗ＝ΔＰ／ΔＴ
式中、Ｗは出力密度であり、ΔＰは混合チャンバ内に適用された圧力であり、ΔＴは滞留時間である。
【００７０】
１つの実施形態では、出力密度は約０．５Ｗ／ｍＬ〜約１００，０００Ｗ／ｍＬの、あるいは約５０Ｗ／ｍＬ〜約３０，０００Ｗ／ｍＬの、出力密度から生成される。本発明の布地向上剤を達成するのに必要な最小出力密度は、２０ｋＨｚにおいて約０．５Ｗ／ｍＬである。
【００７１】
出力密度が約０．５Ｗ／ｍＬである場合、滞留時間は約１５分であり、あるいは、出力密度が約１００，０００Ｗ／ｍＬである場合、滞留時間は約５ミリ秒である。１つの実施形態では、滞留時間は約１ミリ秒（ｍ秒）〜約１秒、あるいは約１ｍ秒〜約１００ｍ秒、あるいは約５ｍ秒〜約５０ｍ秒である。更に、滞留時間が１分未満である場合、出力密度は１０Ｗ／ｍＬ超である必要がある。あるいは、滞留時間が１秒未満である場合、出力密度は５００Ｗ／ｍＬ超である必要がある。滞留時間が１０ｍ秒未満である場合、出力密度は５０，０００Ｗ／ｍＬ超である必要がある。
【００７２】
供給物が必要なエネルギー密度（上述の出力密度及び滞留時間から生成される）にさらされた後、布地向上剤は約１ｋｇ／分〜約１０００ｋｇ／分の、あるいは１０ｋｇ／分〜約５００ｋｇ／分の、流量で放出される。流量は次の等式で表されることができる：Ｑ＝３０Ａ√（ΔＰ）、式中、Ｑ＝流量、Ａ＝開口部寸法、及びΔＰ＝混合チャンバ内の圧力。ここで定義されるように、開口部寸法とは開口部断面積である。１つの実施形態では、開口部寸法は、約０．０６５ｍｍ２（０．０００１インチ２）〜６５ｍｍ２（約０．１インチ２）、あるいは０．３ｍｍ２（０．０００５インチ２）〜６５ｍｍ２（約０．１インチ２）である。
【実施例】
【００７３】
Ｖ．実施例
（実施例１）：
１４％の布地柔軟化活性物質と酸性の水とを有する溶液は二段供給を介して、ソノレーター（Sonolator）（商標）（供給元はコネティカット州のソニック・コーポレーション（Sonic Corporation））に供給される。第四級アンモニウム化合物及び水の両方が７０℃に予め熱せられる。次に、２つの流れが、ソノレーター（登録商標）を１回で貫流する。この走行のための開口部寸法は、０．３ｍｍ２（０．０００５インチ２）である。得られた出力密度は次の通りである：
【表１】
2009544869.tif 000007
【表２】
2009544869.tif 000008
【００７４】
使用されるＦＳＡは、次の化学名：Ｎ，Ｎ−ジタローオイルオキシエチル−Ｎ，Ｎ−ジメチルアンモニウムクロリドを有する、ソフトタローＤＥＥＤＭＡＣとして既知の第四級アンモニウムである。このＦＳＡはデグサ社（Degussa）から商標名アドゲン（Adogen）ＳＤＭＣで入手可能であり、約５６のＩＶ値を有する。
【００７５】
実行＃１Ｂは、ソノレーター（登録商標）プロセスの直前に第四級アンモニウム化合物（柔軟性活性物質）の溶解エステルに香料を添加する。最終製品中の香料の濃度は１．５％である。
【００７６】
（実施例２）：
試料２Ａ〜２Ｆは、布地柔軟化活性物質と酸性の水を混合して調製して、上述した二段供給プロセスを使用してソノレーター（商標）（供給元はコネティカット州のソニック・コーポレーション、）中に入れる。試料２Ｇ及び２Ｈは、ＩＫＡ社のオーバーヘッド・ミキサーを使用して液体布地コンディショナー活性物質を酸性の水の中に分散することで調製される。これらの混合物の粒径は、動的光散乱法を使用して測定される。香油及び泡抑制剤が後から加えられて、下表に与えられた組成物を生じる。これらの組成物の洗剤キャリーオーバー許容度は、上記で定義したような凝集塊形成試験方法を使用して測定される。
【表３】
2009544869.tif 000009
（１）ステパン社（Stepan）から商標ステパンテックス（Stepantex）ＫＤとして入手可能なジアルキル四級化物（Di-alkylquat）
（２）デグサ社（Degussa）から商標レボクワート（Rewoquat）Ｖ３２８２として入手可能なジアルキル四級化物
（３）ワッカー社（Wacker）から入手可能な泡抑制剤
（４）標準的な混合装置（流体力学又は超音波キャビテーション以外）を使用して行われる分散
（５）ＴＮＴＣ：計数するには多すぎる、すなわち５０超
【００７７】
実施例２Ａ、２Ｂ、２Ｃ、２Ｄ、２Ｅ、及び２Ｆは本発明の範囲内にある。実施例２Ｇ及び２Ｈは、本発明の範囲内にない従来の布地柔軟化組成物である。
【００７８】
本明細書を通じて所与のすべての最大数値限定は、より小さい数値限定が本明細書に明確に記載されているかのように、より小さいすべての数値限定を含むと理解されるべきである。本明細書を通じて与えられるすべての最小数値限定は、それより大きいすべての数値限定を、それより大きい数値限定が本明細書に明確に記載されているかのように包含する。本明細書を通じて与えられるすべての数値範囲は、その広い数値範囲内にある、すべてのより狭い数値範囲を、その狭い数値範囲が本明細書に明確に記載されているかのように包含する。
【００７９】
特に指定がない限り、本明細書の明細、実施例、及び請求の範囲におけるすべての部、比、及び百分率は重量基準であり、すべての数値限定は、当該技術分野により提供される通常の程度の精度で使用される。
【００８０】
本明細書に開示されている寸法及び値は、列挙した正確な数値に厳しく限定されるものとして理解すべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【００８１】
特に記載のない限り、冠詞「ａ」、「ａｎ」、及び「ｔｈｅ」は、「１つ又はそれ以上」を意図する。
【００８２】
本発明の特定の諸実施形態を図示し、記載したが、本発明の趣旨及び範囲から逸脱することなく他の様々な変更及び修正を実施できることは当業者には自明であろう。従って、本発明の範囲内にあるかようなすべての変更及び修正を、付加された特許請求の範囲でカバーするものとする。
【００８３】
「発明を実施するための形態」において引用するすべての文献は、その関連部分において参照として本明細書に組み込まれるものであるが、いずれの文献の引用も、こうした引用が本発明の先行技術であることを容認するものとして解釈すべきではない。本書における用語のいずれかの意味又は定義が、参考として組み込まれた文献におけるいずれかの意味又は定義と相反する限りにおいては、本文書においてその用語に与えられた意味又は定義が適用されるものとする。
【００８４】
本発明の特定の諸実施形態を図示し、記載したが、本発明の趣旨及び範囲から逸脱することなく他の様々な変更及び修正を実施できることは当業者には自明であろう。従って、本発明の範囲内にあるかようなすべての変更及び修正を、付加された特許請求の範囲でカバーするものとする。
【図１】
2009544869.tif 000010
【図２】
2009544869.tif 000011
【手続補正書】
【提出日】平成21年2月20日(2009.2.20)
【手続補正１】
【補正対象書類名】図面
【補正対象項目名】全図
【補正方法】変更
【補正の内容】
【図１】
2009544869.tif 000012
【図２】
2009544869.tif 000013
【国際調査報告】
2009544869.tif 000014
2009544869.tif 000015
2009544869.tif 000016